(57)【要約】【課題】粘着剤層に仮着する剥離紙も不要で、省資源および環境保全に貢献し、配送品からその配送票９や受領票１０を容易に外すことができ、個人情報を表示している配送票９をシュレッダーにより裁断することも可能な配送伝票を提供すること。【解決手段】粘着剤領域３に熱活性粘着剤を採用することに着目し、伝票基材２の表面に熱活性粘着剤を塗布して粘着剤領域３とし、粘着剤領域３以外の領域をプリント領域４とし、粘着剤領域３の第１の粘着剤領域３Ａおよび第２の粘着剤領域３Ｂの間にそれぞれ領域境界部５、６を介してプリント領域４を配置し、第１の粘着剤領域３Ａおよび第２の粘着剤領域３Ｂを領域境界部５、６でプリント領域４に対して折り曲げ可能とし、プリント領域４を領域境界部５、６で第１の粘着剤領域３Ａおよび第２の粘着剤領域３Ｂから切り取り可能とすることを特徴とする。【選択図】図１
2008265033.tif 000002
【特許請求の範囲】
【請求項１】
配送品に関する情報を表示する配送票および受領票を有するとともに、この配送品の表面に貼り付け可能とする配送伝票であって、
伝票基材の表面における所定領域に熱活性粘着剤を塗布して粘着剤領域とし、
この伝票基材のこの表面におけるこの粘着剤領域以外の領域をプリント領域とし、このプリント領域に前記配送票および前記受領票を形成するとともに、
前記粘着剤領域は、これを第１の粘着剤領域および第２の粘着剤領域に分割して、これらの第１の粘着剤領域および第２の粘着剤領域の間にそれぞれ領域境界部を介して前記プリント領域を配置し、かつ、
これらの第１の粘着剤領域および第２の粘着剤領域を前記領域境界部で前記プリント領域に対して折り曲げ可能としているとともに、前記プリント領域を前記領域境界部でこれらの第１の粘着剤領域および第２の粘着剤領域から切り取り可能とすることを特徴とする配送伝票。
【請求項２】
前記領域境界部に領域ミシン目を形成してあることを特徴とする請求項１記載の配送伝票。
【請求項３】
前記配送票および前記受領票の間の票境界部に票ミシン目を形成してあることを特徴とする請求項１記載の配送伝票。
【請求項４】
前記領域境界部における前記粘着剤領域あるいは前記プリント領域のいずれか一方に切欠き部を形成してあることを特徴とする請求項１記載の配送伝票。
【請求項５】
前記プリント領域に裁断用切り目を形成してあることを特徴とする請求項１記載の配送伝票。
【発明の詳細な説明】
【技術分野】
【０００１】
本発明は配送伝票にかかるもので、とくに加熱により粘着特性が活性化する熱活性粘着剤を用いた配送伝票に関するものである。
【背景技術】
【０００２】
従来から配送伝票として、複写式の配送伝票や、互いに一辺を接して画成されているとともに仮着あるいは擬似接着された配送票および受領票を有する配送伝票などが一般的に利用されている。
しかしながら、複写式の配送伝票は、複数枚の票が積層されている構成であって、材料を多く使用するために省資源や環境保全の観点から問題がある。
また、仮着あるいは擬似接着された配送伝票は、輸送中に配送品の移動にともなって剥がれないように配送品に貼り付けるための粘着剤層を設けており、使用にあたってはこの粘着剤層に仮着する剥離紙が必要であるが、配送品への貼付けのために配送伝票から剥離されたのちには不用であって無駄に廃棄されることになり、同じく省資源や環境保全上に問題がある。
【０００３】
さらに、従来の配送伝票は、その伝票基材の裏面に粘着剤層ないし接着剤層を何らかの形態で形成しているものが殆どであり、配送品のダンボールに貼り付けたのちにこれを剥がす手間がかかるという問題がある。とくに、配送員としては、配送伝票として配送品を配送した時点で受領者の受領印などを押印した受領票を受け取って帰る必要から、受領票を剥がす操作は必須の作業であるが、粘着剤層が形成されている場合には、この剥がし作業が面倒である。
さらにまた、昨今の個人情報の保護の観点から、資源回収の対象となっているダンボールから配送伝票に表示されている個人の名称、住所、電話番号などの情報表示部分を受領者が剥がして切り刻むことが行なわれているが、このような情報表示部分を配送品（ダンボール）から剥がすための手間がかかるとともに、剥がしたとしても、粘着剤層があるために、この情報表示部分をシュレッダーにかけることができないという問題がある。シュレッダーにかけないとしても、粘着剤層があるために、その切断作業を素手で行なうことは困難であるという問題がある。
【０００４】
【特許文献１】特開平９−１２３６４２号公報
【発明の開示】
【発明が解決しようとする課題】
【０００５】
本発明は以上のような諸問題にかんがみなされたもので、複数枚の積層形態を採らないとともに、粘着剤層に仮着する剥離紙なども不要な配送伝票を提供することを課題とする。
【０００６】
また本発明は、少ない材料で構成することが可能であるとともに、省資源および環境保全に貢献可能な配送伝票を提供することを課題とする。
【０００７】
また本発明は、配送伝票を貼り付けた配送品からその配送票や受領票を容易に外すことができる配送伝票を提供することを課題とする。
【０００８】
また本発明は、個人情報を表示した部分を配送品の表面から容易に取り去ることができる配送伝票を提供することを課題とする。
【０００９】
また本発明は、配送品ないしそのダンボールに取り付けられた状態で残って個人情報を表示している配送票をシュレッダーにより裁断することも可能な配送伝票を提供することを課題とする。
【課題を解決するための手段】
【００１０】
すなわち本発明は、個人情報を表示している情報表示部（配送票および受領票）には粘着剤層を形成しないこと、配送品への貼付け部（粘着剤領域）には熱活性粘着剤を採用すること、この貼付け部と上記情報表示部とを伝票基材の同一面（表面）上に区画して形成すること、貼付け部を裏側に折り曲げて配送品に貼り付けるようにすることに着目したもので、配送品に関する情報を表示する配送票および受領票を有するとともに、この配送品の表面に貼り付け可能とする配送伝票であって、伝票基材の表面における所定領域に熱活性粘着剤を塗布して粘着剤領域とし、この伝票基材のこの表面におけるこの粘着剤領域以外の領域をプリント領域とし、このプリント領域に上記配送票および上記受領票を形成するとともに、上記粘着剤領域は、これを第１の粘着剤領域および第２の粘着剤領域に分割して、これらの第１の粘着剤領域および第２の粘着剤領域の間にそれぞれ領域境界部を介して上記プリント領域を配置し、かつ、これらの第１の粘着剤領域および第２の粘着剤領域を上記領域境界部で上記プリント領域に対して折り曲げ可能としているとともに、上記プリント領域を上記領域境界部でこれらの第１の粘着剤領域および第２の粘着剤領域から切り取り可能とすることを特徴とする配送伝票である。
【００１１】
上記領域境界部に領域ミシン目を形成して、上記粘着剤領域の折曲げ操作と、上記プリント領域の切取り操作を容易にすることができる。
【００１２】
上記配送票および上記受領票の間の票境界部に票ミシン目を形成して、上記受領票を上記配送票からの取外し操作を容易に実行可能とすることができる。
【００１３】
上記領域境界部における上記粘着剤領域あるいは上記プリント領域のいずれか一方に切欠き部を形成して、プリント領域とくに受領票の取外しのきっかけとすることができる。
【００１４】
上記プリント領域に裁断用切り目を形成して、上記配送品から上記プリント領域を取り外したのちの裁断の便に利用することができる。
【００１５】
上記配送票および上記受領票は、感熱発色剤層を有する方式、あるいは熱転写リボンを用いる方式などのサーマルプリントを行うものとすることもできるが、任意の方式の印字により情報を表示することができるものであればよい。
ただし一般に、プリント領域におけるサーマルプリントに必要な熱量（印字エネルギー）は、２５ｍＪ／ｍｍ２程度（発熱温度は１００℃前後）、粘着剤領域における熱活性に必要な熱量（熱活性エネルギー）は、２０ｍＪ／ｍｍ２程度（発熱温度は８０〜９０℃）であり、単一のサーマルヘッドによってプリント領域におけるサーマルプリントおよび粘着剤領域における熱活性粘着剤の熱活性化を実行可能である。
【発明の効果】
【００１６】
本発明による配送伝票においては、伝票基材に形成する粘着剤領域をその表面に熱活性粘着剤を塗布すること、同じ表面上であって粘着剤領域以外の領域をプリント領域としてプリント領域に配送票および受領票を形成すること、粘着剤領域を分割して形成した第１の粘着剤領域および第２の粘着剤領域の間にそれぞれ領域境界部を介してプリント領域を配置すること、および、第１の粘着剤領域および第２の粘着剤領域を領域境界部でプリント領域に対して折り曲げ可能としているとともにプリント領域を領域境界部で第１の粘着剤領域および第２の粘着剤領域から切り取り可能とするようにしたので、配送伝票として単層構造でよいとともに、剥離紙を用いる必要がなく、材料を有効に利用して省資源および環境保全に寄与可能である。
さらに、配送票および受領票という情報表示部には、粘着剤層が形成されておらず、しかも、粘着剤層から切り取り分離可能であるために、容易に配送品の表面から取り外すことができるとともに、必要ならばシュレッダーなどにかけて機械的に裁断することができる。
【発明を実施するための最良の形態】
【００１７】
本発明は、粘着剤層を熱活性粘着剤から形成するととともに、この粘着材層と同一表面上に情報表示部（配送票および受領票）を形成したので、省資源および環境保全型であるとともに、情報表示部の切取りおよび廃棄を容易に実行可能な配送伝票を実現した。
【実施例】
【００１８】
つぎに、本発明の第１の実施例による配送伝票１を図１ないし図５にもとづき説明する。
図１は、配送伝票１の平面図、図２は、図１のＩＩ−ＩＩ線断面図であって、配送伝票１は、伝票基材２の同一面（表面）側における所定領域に熱活性粘着剤を塗布して粘着剤領域３を形成してあるとともに、この粘着剤領域３以外の領域として、プリント領域４を形成してある。
【００１９】
粘着剤領域３は、これを第１の粘着剤領域３Ａおよび第２の粘着剤領域３Ｂに分割して、伝票基材２の左右側の領域にこれを位置させる。なお、第１の粘着剤領域３Ａおよび第２の粘着剤領域３Ｂをそれぞれ細長台形状として、後述するように、裏面側に折り返しやすい形状とする。
【００２０】
さらに、第１の粘着剤領域３Ａおよび第２の粘着剤領域３Ｂの間に領域境界部（第１の領域境界部５および第２の領域境界部６）を介してその間にプリント領域４を（プリント領域４を挟むように）隣接配置している。
第１の領域境界部５には、第１の領域ミシン目７を形成し、第２の領域境界部６には第２の領域ミシン目８を形成してある。
第１の粘着剤領域３Ａおよび第２の粘着剤領域３Ｂを領域境界部（第１の領域境界部５、第２の領域境界部６）でプリント領域４に対して折り曲げ可能としているとともに、プリント領域４を第１の領域ミシン目７および第２の領域ミシン目８の部分で第１の粘着剤領域３Ａおよび第２の粘着剤領域３Ｂから切り取り可能とする
【００２１】
プリント領域４は、その表面に感熱発色剤を塗布して、配送品に関する各種情報すなわち、品名および送り主および受取り人その他管理上必要な情報を印字して表示する情報表示部であって、配送票９および受領票１０を形成している。
なお、配送票９および受領票１０の票境界部１１に票ミシン目１２を形成してある。
【００２２】
粘着剤領域３およびプリント領域４は、伝票基材２の表面をそれぞれ所定面積にわたって分割しているものであるが、粘着剤領域３がプリント領域４を配送品に貼り付けることができるだけの面積を要し、プリント領域４が配送票９および受領票１０に必要な面積を占めるようにすればよい。
【００２３】
なお、第１の領域境界部５および第２の領域境界部６における粘着剤領域３あるいはプリント領域４のいずれか一方に（図示の例では、プリント領域４の受領票１０の両側隅部に）切欠き部１３を形成してある。
【００２４】
また、配送伝票１は、その複数枚を連続状に（帯状に）接続形成して、任意のプリンターに装填可能であり、それぞれの伝票基材２の裏面には、位置検出マーク１４をあらかじめ印刷して、後述する配送伝票１の位置検出に用いることができる。
【００２５】
図３は、配送伝票１のプリント領域４に印字を行うためのプリンター（サーマルプリンター１５）の概略側面図であって、サーマルプリンター１５は、伝票供給部１６と、位置検出部１７と、印字部１８と、切断部１９と、を有する。
【００２６】
伝票供給部１６は、配送伝票１を連続体とした帯状の基材をロール状に巻いて保持するとともに、位置検出部１７方向に帯状に繰出し可能とする。
【００２７】
位置検出部１７は、配送伝票１の裏面の位置検出マーク１４を検出して印字部１８のタイミングを制御可能とする。
【００２８】
印字部１８は、サーマルヘッド２０およびプラテンローラー２１を有し、サーマルヘッド２０およびプラテンローラー２１の間に配送伝票１を挟持し、プラテンローラー２１の回転駆動とともに、サーマルヘッド２０への印字信号により粘着剤領域３の熱活性化およびプリント領域４への印字を可能とする。
なお、サーマルプリントとしては、プリント領域４の表面に感熱発色剤を塗布して印字可能とする場合と、プリント領域４には発色剤を塗布せず、熱転写リボン２２（図中、仮想線）を用いてそのインキを熱転写する場合とがある。
【００２９】
切断部１９は、印字された配送伝票１を単葉のものとする。各配送伝票１の間に切断用のミシン目など（図示せず）を形成している場合には、この切断部１９は不要である。
【００３０】
こうした構成の配送伝票１において、サーマルプリンター１５によってプリント領域４の配送票９および受領票１０にサーマルプリントによる必要な情報の印字を行い、図４に示すように、配送品ないしそのダンボール２３の表面に貼り付ける。
すなわち図４は、配送伝票１の配送品ないしそのダンボール２３への貼付け態様を示す断面側面図であって、図示のように、粘着剤領域３（左右一対の第１の粘着剤領域３Ａおよび第２の粘着剤領域３Ｂ）をプリント領域４に対して第１の領域境界部５および第２の領域境界部６の部分で裏面側に折り返し、活性化している第１の粘着剤領域３Ａおよび第２の粘着剤領域３Ｂの部分で配送伝票１全体をダンボール２３の表面に貼り付けることができる。
したがって、プリント領域４（配送票９および受領票１０）を表面に出して必要な情報を表示可能であり、かつ裏面側の左右一対の第１の粘着剤領域３Ａおよび第２の粘着剤領域３Ｂにより、プリント領域４をダンボール２３から離れることなく取り付けることができる。
【００３１】
配送員は、配送先で受領票１０に受領印をもらった上で受領票１０を回収するが、受領票１０は、配送票９とともにダンボール２３の表面には非接触状態であり、簡単に分離が可能である。具体的には、受領票１０を、第１の領域境界部５および第２の領域境界部６さらに配送票９との間の票ミシン目１２の部分で切り離す。
【００３２】
図５は、配送票９を粘着剤領域３から切り取る状態を示す断面側面図であって、配送品（ダンボール２３）の受取り人は、個人情報を表示している配送票９をダンボール２３から外したい場合には、その裏面に粘着剤層がない配送票９を第１の領域境界部５および第２の領域境界部６の部分で粘着剤領域３から容易に分離可能であり、必要であれば、配送票９をシュレッダー（図示せず）にかけることができる。もちろん、プリン地領域４には粘着剤層が形成されていないので、素手で容易に引き裂くこともできる。
【００３３】
かくして、プリント領域４の部分には粘着剤層を形成することなく、配送品ないしダンボール２３などへの取付けが可能であるとともに、プリント領域４を廃棄する際にも粘着剤領域３とは容易に分離可能であって、シュレッダーなどの切断機による裁断が可能となる。
また、粘着剤領域３にも剥離紙などの無駄な材料を使用する必要がなく、省資源および環境保全に寄与することができる。
【００３４】
図６は、本発明の第２の実施例による配送伝票３０の平面図であって、配送伝票３０においては、プリント領域４に裁断用切り目３１を形成してある。
この裁断用切り目３１の形成方向としては、プリント領域４における印字内容が縦書きであれば横方向に、横書きであれば縦方向にそれぞれ形成することが望ましい。
また、裁断用切り目３１は、第１の領域境界部５、第２の領域境界部６および票ミシン目１２よりはこれを引き裂きにくくしておく。
【００３５】
こうした構成の配送伝票３０によれば、上述の第１の実施例による配送伝票１（図１）と同様に使用することができるとともに、受取り人においてプリント領域４（とくに配送票９）を粘着剤領域３から分離したあとに、必要であれば、シュレッダーなどの切断機を用いなくでも、配送票９の裁断用切り目３１の部分を素手で引き千切り、個人情報を保護することができる。
【図面の簡単な説明】
【００３６】
【図１】本発明の第１の実施例による配送伝票１の平面図である。
【図２】同、図１のＩＩ−ＩＩ線断面図である。
【図３】同、配送伝票１のプリント領域４に印字を行うためのプリンター（サーマルプリンター１５）の概略側面図である。
【図４】同、配送伝票１の配送品ないしそのダンボール２３への貼付け態様を示す断面側面図である。
【図５】同、配送票９を粘着剤領域３から切り取る状態を示す断面側面図である。
【図６】本発明の第２の実施例による配送伝票３０の平面図である。
【符号の説明】
【００３７】
１  配送伝票（第１の実施例、図１）
２  伝票基材
３  粘着剤領域
３Ａ  粘着剤領域３の第１の粘着剤領域
３Ｂ  粘着剤領域３の第２の粘着剤領域
４  プリント領域
５  第１の粘着剤領域３Ａとプリント領域４との間の第１の領域境界部
６  第２の粘着剤領域３Ｂとプリント領域４との間の第２の領域境界部
７  第１の領域境界部５における第１の領域ミシン目
８  第２の領域境界部６における第２の領域ミシン目
９  プリント領域４における配送票
１０  プリント領域４における受領票
１１  配送票９と受領票１０との間の票境界部
１２  票境界部１１における票ミシン目
１３  切欠き部
１４  位置検出マーク
１５  サーマルプリンター（プリンター、図３）
１６  伝票供給部
１７  位置検出部
１８  印字部
１９  切断部
２０  サーマルヘッド
２１  プラテンローラー
２２  熱転写リボン
２３  配送品ないしそのダンボール（図４）
３０  配送伝票（第２の実施例、図６）
３１  プリント領域４における裁断用切り目
【図１】
2008265033.tif 000003
【図２】
2008265033.tif 000004
【図３】
2008265033.tif 000005
【図４】
2008265033.tif 000006
【図５】
2008265033.tif 000007
【図６】
2008265033.tif 000008